(57)【要約】【課題】電磁調理器における電磁誘導加熱クッキングヒーターから放出される１８〜８０ＫＨｚの磁界波を５０cm以内において遮蔽することができる着衣を提供すること。【解決手段】電磁調理器における電磁誘導加熱クッキングヒーター正面から放出される１８〜８０ＫＨｚの磁界波を５０cm以内において遮蔽するため、着衣（エプロン）１０の前身頃１１の裏側にポケット１３が設けられ、該ポケット１３に、ナノ結晶軟磁性合金シートの表裏両面にポリマーフィルムが貼り合わされて形成された磁界波遮蔽シート２０が取り出し可能として設けられ、該磁界波遮蔽シート２０により磁界波が遮蔽される。【選択図】      図１
2004197229.tif 000002
【特許請求の範囲】
【請求項１】
電磁調理器における電磁誘導加熱クッキングヒーターから放出される１８〜８０ＫＨｚの磁界波を５０cm以内において遮蔽するための着衣であって、
着衣（１０）の裏側に磁界波遮蔽シート（２０）が着脱可能として設けられた構成を特徴とする電磁調理器からの磁界波遮蔽用着衣。
【請求項２】
前記着衣（１０）がエプロンであって、該エプロンの前身頃（１１）の裏側にポケット（１３）が設けられ、該ポケット（１３）に磁界波遮蔽シート（２０）が取り出し可能として設けられたことを特徴とする請求項１の電磁調理器からの磁界波遮蔽用着衣。
【請求項３】
前記着衣（１０）が背広上着であって、該背広上着の前身頃（１４）、（１５）の裏側にポケット（１６）、（１７）が設けられ、該ポケット（１６）、（１７）に磁界波遮蔽シート（２０）が取り出し可能として設けられたことを特徴とする請求項１の電磁調理器からの磁界波遮蔽用着衣。
【請求項４】
前記着衣（１０）がスカートであって、該スカートの裏側やや上部周囲に磁界波遮蔽シート（２０）が取り外し可能として設けられたことを特徴とする請求項１の電磁調理器からの磁界波遮蔽用着衣。
【請求項５】
前記磁界波遮蔽シート（２０）は、ナノ結晶軟磁性合金シート（２１）の表裏両面にポリマーフィルム（２２）、（２３）が貼り合わされて形成された１８〜８０ＫＨｚの磁界波遮蔽特性を有すものであることを特徴とする請求項１から４のいずれか１項の電磁調理器からの磁界波遮蔽用着衣。
【発明の詳細な説明】
【０００１】
【発明の属する技術分野】
本発明は、電磁調理器における電磁誘導加熱クッキングヒーター（以下、ＩＨクッキングヒーターという）の正面から放出される１８〜８０ＫＨｚの磁界波を５０cm以内において遮蔽するための着衣に関するものである。
【０００２】
【従来の技術】
近年、人体への影響が指摘されているＯＡ機器やパソコン等の電子機器から放出される磁界波を遮蔽するために着用されるエプロンや制服に関し、種々の提案がなされている（例えば、実開昭６１−８６４１６号公報、特開平１０−８８４０９号公報、特開２０００−１３６４０６公報参照）。
【０００３】
しかし、これら提案されているエプロンや制服は、ＯＡ機器やパソコン等の電子機器から放出される高周波の磁界波を遮蔽するためのものである。
【０００４】
電磁調理器は、火を使わない安全性や熱効率の良さなどから市場が急拡大している。一方、電磁調理器においては、そのＩＨクッキングヒーターから放出される磁界波による身体への影響が懸念されるようになっている。
【０００５】
そこで、前記従来エプロン等の着用が試みられたが、ＯＡ機器やパソコンから放出される磁界波の周波数と、電磁調理器におけるＩＨクッキングヒーターから放出される磁界波とはその周波数帯域を異にし、従来エプロンではＩＨクッキングヒーターから放出の磁界波を遮蔽することはできないものであった。
【０００６】
【発明が解決しようとする課題】
本発明は、このような問題点に鑑みなされたもので、その目的とするところは、電磁調理器におけるＩＨクッキングヒーターから放出される１８〜８０ＫＨｚの磁界波を５０cm以内において遮蔽することができるエプロン等の着衣を提供することにある。
【０００７】
【課題を解決するための手段】
この目的を達成するためになされた本発明の請求項１に記載の電磁調理器からの磁界波遮蔽用着衣は、電磁調理器における電磁誘導加熱クッキングヒーターから放出される１８〜８０ＫＨｚの磁界波を５０cm以内において遮蔽するための着衣であって、着衣１０の裏側に磁界波遮蔽シート２０が着脱可能として設けられた構成を特徴とするものである。
【０００８】
本発明の請求項２に記載の電磁調理器からの磁界波遮蔽用着衣は、着衣１０がエプロンであって、該エプロンの前身頃１１の裏側にポケット１３が設けられ、該ポケット１３に磁界波遮蔽シート２０が取り出し可能として設けられたことを特徴とするものである。
【０００９】
本発明の請求項３に記載の電磁調理器からの磁界波遮蔽用着衣は、着衣１０が背広上着であって、該背広上着の前身頃１４、１５の裏側にポケット１６、１７が設けられ、該ポケット１６、１７に磁界波遮蔽シート２０が取り出し可能として設けられたことを特徴とするものである。
【００１０】
本発明の請求項４に記載の電磁調理器からの磁界波遮蔽用着衣は、着衣１０がスカートであって、該スカートの裏側やや上部周囲に磁界波遮蔽シート２０が取り外し可能として設けられたことを特徴とするものである。
【００１１】
本発明の請求項５に記載の電磁調理器からの磁界波遮蔽用着衣は、前記磁界波遮蔽シート２０は、ナノ結晶軟磁性合金シート２１の表裏両面にポリマーフィルム２２、２３が貼り合わされて形成された１８〜８０ＫＨｚの磁界波遮蔽特性を有すものであることを特徴とするものである。
【００１２】
【発明の実施の形態】
本発明に係る電磁調理器からの磁界波遮蔽用着衣は、着衣の裏側に、ナノ結晶軟磁性合金シートの表裏両面にポリマーフィルムが貼り合わされて形成された磁界波遮蔽シートが着脱可能として設けられたもので、この磁界波遮蔽シートの機能によって、電磁調理器におけるＩＨクッキングヒーターから放出される１８〜８０ＫＨｚの磁界波を５０cm以内において遮蔽することが可能となる。
【００１３】
以下、本発明の実施例について図面を参照し、その作用と共に説明する。
【００１４】
図１から図３には、本発明に係る電磁調理器からの磁界波遮蔽用着衣がエプロンに適用された実施例が示されている。
【００１５】
これら図において、着衣であるエプロン１０は、周知の形状を有する肩掛け或いは首掛けタイプ等公知の全てのエプロンを含むものであって、その前身頃１１の裏側には布地等１２の縫着等によりポケット１３が設けられている。
【００１６】
ポケット１３は、人体の胸部を覆う横幅をもった縦長四角形状を呈し、三辺は縫着されて上部は開口している。
【００１７】
なお、ポケット１３の形状は、平面視縦長四角形とされているが、これに限定されず、５０cm以内において磁界波防護機能が得られるならば、楕円形等その形状並びに大きさは任意である。
【００１８】
ポケット１３には、磁界波遮蔽シート２０がポケット１３と略一体的になるように挿入され、又、エプロン１０を洗濯する際には、ポケット１３より取り出し得るようになっている。
【００１９】
磁界波遮蔽シート２０は、電磁調理器のＩＨクッキングヒーター（図示しない）の正面から放出される１８〜８０ＫＨｚの磁界波を距離５０ｃｍ以内において遮蔽する機能を有し、好ましくは、図３に示された磁界波遮蔽シート２０が用いられている。
【００２０】
磁界波遮蔽シート２０は、超微結晶組織からなるナノ結晶軟磁性合金シート２１の表裏両面をポリマーフィルム２２、２３で貼りあわせて形成され、全厚さ約１mmで、任意の形状加工等が可能である。
【００２１】
図４には、本発明に係る電磁調理器からの磁界波遮蔽用着衣が背広上着に適用された実施例が示されている。
【００２２】
図４において、着衣である背広上着１０の両前身頃１４、１５の裏側に人体の胸部を覆うに十分な縦長四角形にして、かつ上部が開口したポケット１６、１７が縫着等によって設けられ、これらポケット１６、１７に磁界波遮蔽シート２０が取り出し可能として設けられたものである。
【００２３】
なお、ポケット１６、１７の大きさや形状等については適宜であって、エプロンの場合と同様である。
【００２４】
図５には、本発明に係る電磁調理器からの磁界波遮蔽用着衣がスカートに適用された実施例が示されている。
【００２５】
図５において、着衣であるスカート１０の裏側やや上部の周囲に、磁界波遮蔽シート２０がその適所においてベルベットテープ（図示しない）により取り外し可能として取り付けられている。
【００２６】
図６には、磁界波遮蔽シート２０を用いた本磁界波遮蔽用着衣の周波数９〜６５ＫＨｚの磁界波と距離５０cm以内での磁界波シールド効果との関係を示すグラフが示されている。
【００２７】
電磁調理器におけるＩＨクッキングヒーターから放出される周波数は一般的には２２ＫＨｚ、４４ＫＨｚ、６６ＫＨｚの磁界波であるが、図６から明らかなように、これら各周波数に対して優れたシールド効果を発揮することが判る。
【００２８】
【発明の効果】
しかして、本発明によれば、電磁調理器におけるＩＨクッキングヒーターから放出される周波数１８〜８０ＫＨｚの磁界波を距離５０cm以内において遮蔽することができ、磁界波から身体を保護して磁界波による影響を軽減することができる。
【００２９】
又、磁界波遮蔽シートは着衣から取り外し可能となっているから、着衣洗濯の際何ら問題とならない。
【図面の簡単な説明】
【図１】本発明に係る電磁調理器からの磁界波遮蔽用着衣をエプロンに適用した実施例での正面図である。
【図２】同上の背面図である。
【図３】図１の３−３線に沿った部分拡大断面図である。
【図４】本発明に係る電磁調理器からの磁界波遮蔽用着衣を背広上着に適用した実施例での概略部分正面図である。
【図５】本発明に係る電磁調理器からの磁界波遮蔽用着衣をスカートに適用した実施例での概略正面図である。
【図６】磁界波周波数とシールド効果との関係を示すグラフである。
【符号の説明】
１０    着衣
１１、１４、１５    前身頃
１３、１６、１７    ポケット
２０    磁界波遮蔽シート
２１    ナノ結晶軟磁性合金シート
２２、２３    ポリマーフィルム
【図１】
2004197229.tif 000003
【図２】
2004197229.tif 000004
【図３】
2004197229.tif 000005
【図４】
2004197229.tif 000006
【図５】
2004197229.tif 000007
【図６】
2004197229.tif 000008